(57)【要約】【課題】定着部において記録用紙の紙詰まりが発生した場合に、紙詰まりを容易に解消することができる画像形成装置を提供する。【解決手段】機台本体１と、機台本体１に対して開閉可能に設けられ機台本体１の内部に生じた紙詰まりを除去するときに開けるジャムアクセスカバー２３と、機台本体１の内部に設けられた加熱ローラ１７と、ジャムアクセスカバー２３に設けられジャムアクセスカバー２３が機台本体１を閉じたときに加熱ローラ１７との間で記録用紙をニップ可能とし、ジャムアクセスカバー２３が機台本体１から開いたときに加熱ローラ１７から離間する加圧ローラ１８と、加熱ローラ１７と加圧ローラ１８とを離間させる駆動部３０と、駆動部３０を制御する制御部３２と、を有する。【選択図】      図２
2010256562.tif 000002
【特許請求の範囲】
【請求項１】
筐体と、
前記筐体に対して開閉可能に設けられ、前記筐体の内部に生じた紙詰まりを除去するときに開けるカバー部材と、
前記筐体の内部に設けられた加熱ローラと、
前記カバー部材に設けられ、前記カバー部材が前記筐体を閉じたときに前記加熱ローラに対して所定の圧力で接触可能とし、前記カバー部材が前記筐体から開いたときに前記加熱ローラから離間する加圧ローラと、
前記加熱ローラと前記加圧ローラとを離間させる駆動部と、
前記駆動部を制御する制御部と、
を有する画像形成装置。
【請求項２】
前記駆動部は、前記筐体から突出可能に設けられ、前記筐体から突出することにより前記カバー部材を前記筐体から離す突出部材を有する請求項１に記載の画像形成装置。
【発明の詳細な説明】
【技術分野】
【０００１】
本発明は、ジャム（紙詰まり）を除去するジャムアクセスカバーを備えた画像形成装置に関する。
【背景技術】
【０００２】
従来の画像形成装置は、プレスローラとヒートローラとで構成された定着部を備えている。定着部により記録用紙に転写されたトナー画像が記録用紙に定着される。
【０００３】
また、従来の画像形成装置は、開閉式のジャムアクセスカバーが設けられている。定着部に向う記録用紙に紙詰まり（ジャム）が発生したときに、ジャムアクセスカバーを開けて詰まった記録用紙を除去することができる。
【先行技術文献】
【特許文献】
【０００４】
【特許文献１】特開２００５−１８１５０８号公報
【発明の概要】
【発明が解決しようとする課題】
【０００５】
ところで、特に定着部であるプレスローラとヒートローラとの間に記録用紙が詰まった場合に、プレスローラとヒートローラとが分離不可能に構成されているため、ジャムアクセスカバーを開けても、この詰まった記録用紙を取り除くことが困難であった。このため、その都度、専門の業者を呼び、メンテナンスを依頼する必要があった。
【０００６】
そこで、本発明は、上記事情に鑑み、定着部において記録用紙の紙詰まりが発生した場合に、紙詰まりを容易に解消することができる画像形成装置を提供する。
【課題を解決するための手段】
【０００７】
本発明は、筐体と、前記筐体に対して開閉可能に設けられ、前記筐体の内部に生じた紙詰まりを除去するときに開けるカバー部材と、前記筐体の内部に設けられた加熱ローラと、前記カバー部材に設けられ、前記カバー部材が前記筐体を閉じたときに前記加熱ローラに対して所定の圧力で接触可能とし、前記カバー部材が前記筐体から開いたときに前記加熱ローラから離間する加圧ローラと、前記加熱ローラと前記加圧ローラとを離間させる駆動部と、前記駆動部を制御する制御部と、を有する。
【０００８】
本発明によれば、加熱ローラと加圧ローラとの間で記録用紙が詰まった場合に、カバー部材を開けることにより、加熱ローラと加圧ローラとを制御部に制御された駆動部で自動的に離間させることができる。これにより、加熱ローラと加圧ローラとの間で詰まった記録用紙を容易に取り除くことができる。
【０００９】
この場合、前記駆動部は、前記筐体から突出可能に設けられ、前記筐体から突出することにより前記カバー部材を前記筐体から離す突出部材を有することが好ましい。
【００１０】
この構成によれば、突出部材が筐体から突出して、カバー部材が筐体から離される。これにより、カバー部材を容易に開けることができ、ひいては、加熱ローラと加圧ローラとを容易に離間させることができる。
【発明の効果】
【００１１】
本発明によれば、定着部において記録用紙の紙詰まりが発生した場合に、紙詰まりを容易に解消することができる。
【図面の簡単な説明】
【００１２】
【図１】本発明の第１実施形態の画像形成装置のカバー部材が閉じた状態の画像形成装置の構成図である。
【図２】本発明の第１実施形態の画像形成装置のカバー部材が開いた状態の画像形成装置の構成図である。
【発明を実施するための形態】
【００１３】
図１及び図２に示すように、本発明の実施の形態に係る画像形成装置を装備するコピー・ファクシミリ複合機１００は、機台本体１（筐体）と、該機台本体１に装着され、画像形成装置の一部をなす現像器ユニット２と、からなる。現像器ユニット２は、その内部に現像剤を攪拌しながら移送させる３本の攪拌体（アジテータ）３、４、５を備えている。
【００１４】
機台本体１には現像器ユニット２を含む画像形成装置からなる画像形成部１０１が配設されている。さらに、機台本体１にはその底部に記録用紙を順次供給する給紙部１０２が、画像形成部１０１の上方に排紙トレイ１０３がそれぞれ配設されている。なお、図示しないが、コピー・ファクシミリ複合機１００は、排紙トレイ１０３の上方に、フラットベッドスキャナとして機能する画像読取部、画像読取り及び記録の開始等を入力するための操作パネルが配設されている。
【００１５】
給紙部１０２は、各種サイズの記録用紙を貯蔵可能であり、記録用紙を１枚ずつ搬送路１０４へ繰り込むようになっている。搬送路１０４には一対のレジストローラ４１が設けられており、記録用紙が搬送姿勢を調整されて画像形成部１０１へ搬送される。搬送路１０４には搬送ローラ４２が適宜設けられており、画像形成部１０１にて画像が形成された記録用紙が搬送され、排紙トレイ１０３へ排出される。このように、給紙部１０２から搬送路１０４に沿って画像形成部１０１に記録用紙が搬送され、該画像形成部１０１により画像、文字等が記録用紙に記録されて、排紙トレイ１０３に排紙される。
【００１６】
画像形成部１０１は、感光体ドラム（感光体）１１の周囲に配設された帯電デバイス１２、ＬＥＤヘッド１３、現像器ユニット２、転写ローラ１４、及びクリーニングブレード１５と、感光体ドラム１１の下流側の搬送路１０４に配設された定着デバイス１６と、から構成されている。なお、感光体ドラム１１、帯電デバイス１２、現像器ユニット２、及びクリーニングブレード１５が、プロセスユニットとしてカートリッジに収容されて一体となっているものであってもよい。
【００１７】
感光体ドラム１１は、表面に有機感光体による光導電膜が形成され、図示しない駆動源により所定速度で回転するものであり、帯電デバイス１２により一定電圧に帯電される。帯電デバイス１２は、所謂スコロトロン帯電器と呼ばれる非接触のコロナ帯電方式のものであり、図には詳細を示さないが、半空間を形成するケーシング電極の略中心に放電ワイヤが配設されるとともに、感光体ドラム１１側にグリッド電極が配設されてなり、該放電ワイヤに所定の電圧が印加されることによりコロナ放電が生じ、該コロナ放電によるイオン量をグリッド電極で制御するものである。なお、帯電デバイス１２には、非接触のコロナ帯電方式に代えて接触型のローラ帯電方式等、他の帯電デバイスを採用してもよい。
【００１８】
ＬＥＤヘッド１３は、ＬＥＤアレイを記録画素数だけ並設し、該ＬＥＤアレイが発した光をセルフォックレンズアレイで感光体ドラム１１の表面に結像する所謂自己発光型のプリンタヘッドであり、前記感光体ドラム１１に対して画像情報に基づいて感光体ドラム１１の表面を選択的に露光して、該表面に静電潜像を形成するものである。帯電デバイス１２により帯電された感光体ドラム１１の表面は、ＬＥＤヘッド１３により露光されることにより表面電位が減衰し、露光されていない部分との電位差により静電潜像が形成される。また、画像情報は、例えばフラットベッドスキャナとして機能する前記画像読取部が読み取った原稿の画像が電気信号としてＬＥＤヘッド１３に送信されるようになっている。なお、露光デバイスとしては、ＬＥＤヘッド１３の他に半導体レーザを用いた走査光学系のものを採用してもよい。
【００１９】
現像器ユニット２は、トナーとキャリアからなる２成分現像剤を用いるものであり、感光体ドラム１１に対向して配置される現像スリーブ２１を備える。３本の攪拌体３、４、５により攪拌された現像剤が現像スリーブ２１に向けて移送され、現像スリーブ２１の表面上に担持された現像剤が感光体ドラム１１に供給される。該感光体ドラム１１の表面上の静電潜像をトナーにて現像されることにより、トナー画像が形成される。
【００２０】
転写ローラ１４は、ＥＰＤＭ発泡体からなるローラであり、搬送路１０４の対向位置において感光体ドラム１１に圧接されてなり、不図示の電気回路からバイアス電圧が印加されるようになっている。給紙部１０２から搬送路１０４を経て供給された記録用紙を感光体ドラム１１及び転写ローラ１４がニップしてバイアス電圧が印加されることにより、該感光体ドラム１１の表面に形成されたトナー画像が記録用紙へ転写される。
【００２１】
クリーニングブレード１５は、転写後の感光体ドラム１１に圧接され、不図示の電気回路から定電圧が印加されることにより、感光体ドラム１１の表面に残留したトナー及び紙粉を除去するとともに静電潜像を消去するものである。これにより、感光体ドラム１１の表面が清掃されて連続使用が可能となる。なお、クリーニングブレードの他に、クリーニングローラ等を用いる他の接触方式あるいは非接触方式によるクリーニング法も採用でき、また、クリーニング部材を用いないクリーニングレス方式とすることもできる。
【００２２】
定着デバイス（定着部）１６は、搬送路１０４の対向位置に夫々配置された加熱ローラ１７及び加圧ローラ１８からなり、搬送路１０４を搬送された記録用紙上のトナー画像を加熱及び加圧して固定するものである。加熱ローラ１７は、機台本体１の内部に設けられている。また、加熱ローラ１７は、ジャムアクセスカバー２３側に開口した断熱カバー２５に囲まれて設けられている。このため、加熱ローラ１７の熱が周囲に配置されている感光体ドラム１１、帯電デバイス１２、ＬＥＤヘッド１３、現像器ユニット２、転写ローラ１４、及びクリーニングブレード１５などの各構成要素に悪影響を及ぼすことを防止できる。また、断熱カバー２５に開口を形成することにより、加熱ローラ１７と加圧ローラ１８とが記録用紙を挟持することができる。また、加熱ローラ１７の表面はヒータにより所定の温度に維持されており、加圧ローラ１８が該加熱ローラ１７に対して所定の圧力（ニップ圧）で接触されている。トナー画像が転写された記録用紙が、該加熱ローラ１７と加圧ローラ１８とに挟持されることにより記録用紙上のトナーが溶融されて固定される。このように構成された画像形成部１０１により、前記画像読取部で読み取られた原稿の画像が記録用紙上に形成される。
【００２３】
また、機台本体１の一側面であって定着デバイス１６の近傍には、開口部（図示省略）が形成されている。また、機台本体１には、この開口部を閉塞又は開放するようにジャムアクセスカバー２３が開閉可能に取り付けられている。具体的には、機台本体１には、ジャムアクセスカバー２３を機台本体１から離間させるための駆動部３０と、駆動部３０の駆動を制御する制御部３２と、が設けられている。駆動部３０は、機台本体１に設けられた水平方向に延びるレール部材３４と、レール部材３４上をスライド移動するアーム部材（突出部材）３６と、アーム部材３６に駆動力を伝達させてアーム部材３６を直線的に移動させる駆動モータ３８と、で構成されている。アーム部材３６には、図示しないローラが内蔵されており、ローラが駆動モータ３８により回転駆動させることによりアーム部材３６の直線移動が実現される。なお、アーム部材３６は、機台本体１の外側に突出する突出部材として機能する。制御部３２は、画像形成動作を制御するコントローラ４０で構成されている。コントローラ４０は、駆動モータ３８の駆動を制御する。なお、アーム部材３６にギア歯を形成し、ギア歯にかみ合う歯車群を介して駆動モータ３８に接続させてもよい。アーム部材３６の先端部の軸部４２には、ジャムアクセスカバー２３の下端部が回動可能に接続される。
【００２４】
また、別の駆動部３０として、レール部材３４、アーム部材３６及び駆動モータ３８の替わりに、ソレノイド（図示省略）を用いてもよい。ソレノイドは、電磁コイルと、プランジャ（可動鉄芯）と、で構成されており、電磁コイルに電流を流すことにより発生する磁力を応用して、プランジャ（可動鉄芯）が直線的に運動する。なお、このプランジャは、機台本体１の外側に突出する突出部材として機能する。ソレノイドの制御は、コントローラ４０で行われる。さらに、別の駆動部３０として、油圧又は空気圧式のシリンダとピストンを用いてもよい。油圧又は空気圧によりピストンがシリンダから伸縮する。なお、ピストンは、機台本体１の外側に突出する突出部材として機能する。このシリンダ及びピストンの制御は、コントローラ４０で行われる。
【００２５】
また、駆動部３０として、ソレノイドを採用した場合には、プランジャの先端部にジャムアクセスカバー２３の下端部が回動可能に接続される。さらに、駆動部３０として、シリンダとピストンを採用した場合には、ピストンの先端部にジャムアクセスカバー２３の下端部が回動可能に接続される。
【００２６】
さらに、駆動部３０として、レール部材３４に替えてスクリューシャフトを用い、アーム部材３６に替えてスクリューシャフトに螺合するナットを用いてもよい。この場合、駆動モータ３８により、スクリューシャフトを回転させることにより、ナットがスクリューシャフトの軸方向に移動して、ジャムアクセスカバー２３が開閉する。この結果、加圧ローラ１８と加熱ローラ１７との分離が可能になる。
【００２７】
ここで、ジャムアクセスカバー２３の内面には、上述した加圧ローラ１８が保護カバー２７を介して取り付けられている。保護カバー２７は、加圧ローラ１８の周囲を囲むように構成されている。また、保護カバー２７の一側面には、開口部が形成されている。この開口部は、加熱ローラ１７側に開口しており、加圧ローラ１８が加熱ローラ１７に接触することを可能にしている。また、加圧ローラ１８は、ジャムアクセスカバー２３が機台本体１の一側面の開口部を閉塞したときに、加熱ローラ１７と対向する位置に設けられている。このため、ジャムアクセスカバー２３が機台本体１に対して閉じられたときに、加圧ローラ１８が加熱ローラ１７に対して所定のニップ圧で接触する。このように、ジャムアクセスカバー１７が機台本体１に対して閉じられたときに、加圧ローラ１８が加熱ローラ１７に対して位置決めされる。一方、ジャムアクセスカバー２３が機台本体１に対して開けられたときに、加圧ローラ１８がジャムアクセスカバー２３の回動と共に加熱ローラ１７から離れていく。これにより、加圧ローラ１８と加熱ローラ１７との分離が可能になる。
【００２８】
次に、本発明の第１実施形態の画像形成装置の作用について説明する。
【００２９】
定着デバイス（定着部）１６又はその近傍、特に、加熱ローラ１７と加圧ローラ１８との間で記録用紙が詰まった場合には、コントローラ４０により駆動モータ３８が駆動される。これにより、駆動モータ３８が正方向に回転して、アーム部材３６がレール部材３４上をスライド移動して機台本体１から突出する。そして、ジャムアクセスカバー２３は、機台本体１から離れて開口部を開放する。また、ジャムアクセスカバー２３の移動に伴って、加圧ローラ１８が加熱ローラ１７から離れていく。この結果、加熱ローラ１７と加圧ローラ１８とが分離して、加熱ローラ１７と加圧ローラ１８との間に詰まった記録用紙を取り除いて、ジャムを容易に解消することができる。なお、ジャムアクセスカバー２３を軸部６２の軸回りに回動させて、開口部を大きく露出させ、加熱ローラ１７と加圧ローラ１８との間に詰まった記録用紙を取り易くしてもよい。
【００３０】
一方、ジャムの解消後、コントローラ４０により駆動モータ３８が駆動される。これにより、駆動モータ３８が逆方向に回転して、アーム部材３６がレール部材３４上をスライド移動して機台本体１の内部に収容される。そして、ジャムアクセスカバー２３は、機台本体１に近づいて開口部を閉塞する。このとき、加圧ローラ１８が加熱ローラ１７に対して所定のニップ圧で接触する。そして、再度、記録用紙に対するトナー画像の定着処理が可能になる。
【００３１】
なお、駆動部３０にソレノイドを用いた場合でも、コントローラ４０によってプランジャが電磁コイルから引き出されることにより、プランジャが機台本体１から突出する。そして、ジャムアクセスカバー２３は、機台本体１から離れて開口部を開放する。また、ジャムアクセスカバー２３の移動に伴って、加圧ローラ１８が加熱ローラ１７から離れていく。この結果、加熱ローラ１７と加圧ローラ１８とが分離して、加熱ローラ１７と加圧ローラ１８との間に詰まった記録用紙を取り除いて、ジャムを容易に解消することができる。一方、ジャムの解消後、コントローラ４０によりプランジャが電磁コイルに収容されることにより、プランジャが機台本体１の内部に収容される。そして、ジャムアクセスカバー２３は、機台本体１に近づいて開口部を閉塞する。このとき、加圧ローラ１８が加熱ローラ１７に対して所定のニップ圧で接触する。そして、再度、記録用紙に対するトナー画像の定着処理が可能になる。
【００３２】
なお、駆動部３０にシリンダ及びシャフトを用いた場合でも、コントローラ４０によってシャフトがシリンダから引き出されることにより、シャフトが機台本体１から突出する。そして、ジャムアクセスカバー２３は、機台本体１から離れて開口部を開放する。また、ジャムアクセスカバー２３の移動に伴って、加圧ローラ１８が加熱ローラ１７から離れていく。この結果、加熱ローラ１７と加圧ローラ１８とが分離して、加熱ローラ１７と加圧ローラ１８との間に詰まった記録用紙を取り除いて、ジャムを容易に解消することができる。一方、ジャムの解消後、コントローラ４０によりシャフトがシリンダに収容されることにより、シャフトが機台本体１の内部に収容される。そして、ジャムアクセスカバー２３は、機台本体１に近づいて開口部を閉塞する。このとき、加圧ローラ１８が加熱ローラ１７に対して所定のニップ圧で接触する。そして、再度、記録用紙に対するトナー画像の定着処理が可能になる。
【符号の説明】
【００３３】
１        機台本体（筐体）
１７      加熱ローラ
１８      加圧ローラ
２３      ジャムアクセスカバー（カバー部材）
３０      駆動部
３２      制御部
３４      レール部材（駆動部）
３６      アーム部材（駆動部、突出部材）
３８      駆動モータ（駆動部）
４０      コントローラ（制御部）
１００    画像形成装置
【図１】
2010256562.tif 000003
【図２】
2010256562.tif 000004